(57)【要約】【課題】原水からの不純物分離能力を向上させ、分離した不純物の処理水への再混入を防止する固液分離装置を提供する。【解決手段】不純物を含む原水を旋回させたときの遠心力を利用して原水に含まれる不純物を沈降させる液体サイクロン11と、液体サイクロンの上部に接続され、原水が旋回流となるように液体サイクロンに原水を流入させる流入管10と、液体サイクロンの下部に接続され、沈降した不純物を液体サイクロンから回収する不純物回収部18と、回収した不純物が不純物回収部から液体サイクロンのほうへ戻るのを阻止する障害物16,16E,16F,16Gと、液体サイクロンの上部に接続され、沈降した不純物が不純物回収部に回収された後の処理水を液体サイクロンから流出させる流出管20と、液体サイクロンの下部流路において液体サイクロンの軸まわりに回転可能に設けられた内筒30,30B,30C,30Dとを有する。【選択図】      図１
2011083696.tif 000002
【特許請求の範囲】
【請求項１】
不純物を含む原水を旋回させたときの遠心力を利用して原水に含まれる不純物を沈降させる液体サイクロンと、
前記液体サイクロンの上部に接続され、原水が旋回流となるように前記液体サイクロンに原水を流入させる流入管と、
前記液体サイクロンの下部に接続され、沈降した不純物を前記液体サイクロンから回収する不純物回収部と、
回収した不純物が前記不純物回収部から前記液体サイクロンのほうへ戻るのを阻止する障害物と、
前記液体サイクロンの上部に接続され、沈降した不純物が前記不純物回収部に回収された後の処理水を前記液体サイクロンから流出させる流出管と、
前記液体サイクロンの下部流路において前記液体サイクロンの軸まわりに回転可能に設けられた内筒と、
を具備することを特徴とする固液分離装置。
【請求項２】
前記内筒を前記液体サイクロンに回転可能に支持する軸受を有することを特徴とする請求項１記載の固液分離装置。
【請求項３】
前記内筒が旋回流を受けて回転力とする羽根を有することを特徴とする請求項１又は２のいずれか１項記載の固液分離装置。
【請求項４】
前記障害物を前記液体サイクロンに回転可能に支持する軸受を有することを特徴とする請求項１乃至３のいずれか１項記載の固液分離装置。
【請求項５】
前記障害物が旋回流を受けて回転力とする羽根を有することを特徴とする請求項１乃至４のいずれか１項記載の固液分離装置。
【請求項６】
前記液体サイクロンの外側から前記内筒に旋回流と同じ向きの回転力を付与する回転外力付与手段をさらに有することを特徴とする請求項１乃至５のいずれか１項記載の固液分離装置。
【請求項７】
前記液体サイクロンの外側から前記障害物に旋回流と同じ向きの回転力を付与する回転外力付与手段をさらに有することを特徴とする請求項１乃至６のいずれか１項記載の固液分離装置。
【発明の詳細な説明】
【技術分野】
【０００１】
本発明は、原水から不純物を分離除去する固液分離装置に関する。
【背景技術】
【０００２】
水処理プロセスの一例として、重力沈降、凝集沈殿または加圧浮上等の固液分離処理が利用されている。
【０００３】
重力沈降や凝集沈殿では、沈降槽内に原水を流入し、原水に含まれる分離対象の不純物と水との比重の違いを利用して、水よりも比重の大きい不純物を沈降させた後に上澄を処理水とすることで、原水から不純物と処理水とを分離している。この場合、沈降速度は不純物の比重や大きさによって異なる。例えば、沈降速度の遅い不純物の場合、沈降槽の容積を大きくして沈降速度を上げるか、あるいは傾斜管や傾斜板を利用して沈降効率を上げることで、沈降速度の向上を図ることがなされている。一方、このように傾斜管や傾斜板を利用して沈降効率を上げたとしても、依然として沈降槽において１時間以上の滞留時間が必要であり、滞留時間の短縮には限界があるばかりでなく、沈降槽の容積の大きさにも問題がある。
【０００４】
また、加圧浮上では、不純物の比重が小さい固形物質や油脂等のように浮上性がある場合、分離液の循環水等に空気を加圧溶解して分離糟に流入させ、発生した微細気泡を不純物に付着させて浮上分離することで、原水から不純物と処理水とを分離している。この加圧浮上では、気泡を付着させた不純物の上昇速度は、速くても200mm/minである。したがって、加圧浮上でも処理時間が長くなる問題があった。
【０００５】
上述したように、従来の重量沈降や加圧浮上で問題であった処理速度を短縮するため、例えば特許文献１には原水を容器内で旋回させて遠心力を利用して不純物を遠心分離する装置が記載されている。
【先行技術文献】
【特許文献】
【０００６】
【特許文献１】特開平11-333320号公報
【発明の概要】
【発明が解決しようとする課題】
【０００７】
しかしながら、従来の固液分離装置では、強い遠心力を得るためには旋回流を高速にする必要があり、高速の流れによって、一度分離した不純物が巻き上がり、処理水に再混入する問題を生じる。とくに不純物のうち、アルミ・鉄などの凝集剤や高分子の凝集助剤を用いて生じさせた凝集フロックは、低強度で脆弱であることから壊れやすく、高速水流がサイクロン内壁や周囲の付属品に衝突したときに壊れて微小な粒子となり、処理水に再混入して流出しやすい。また、フロックは比重が水の比重より僅かに大きいにすぎないものであるので、いったん沈降したものであっても浮上しやすい傾向にある。このため、低強度で小比重のフロックの再混入・流出を防止することがユーザーから強く要望されている。
【０００８】
本発明は上記課題を解決するためになされたものであり、原水からの不純物分離能力の向上と、分離した不純物の処理水への再混入を防止する固液分離装置を提供することを目的とする。
【課題を解決するための手段】
【０００９】
（１）本発明に係る固液分離装置は、不純物を含む原水を旋回させたときの遠心力を利用して原水に含まれる不純物を沈降させる液体サイクロンと、前記液体サイクロンの上部に接続され、原水が旋回流となるように前記液体サイクロンに原水を流入させる流入管と、前記液体サイクロンの下部に接続され、沈降した不純物を前記液体サイクロンから回収する不純物回収部と、回収した不純物が前記不純物回収部から前記液体サイクロンのほうへ戻るのを阻止する障害物と、前記液体サイクロンの上部に接続され、沈降した不純物が前記不純物回収部に回収された後の処理水を前記液体サイクロンから流出させる流出管と、前記液体サイクロンの下部流路において前記液体サイクロンの軸まわりに回転可能に設けられた内筒と、を有することを特徴とする。
【００１０】
本発明では、旋回流が液体サイクロンの下部流路を通過する際に、その旋回流に伴って内筒が回転し、旋回流の速度と内筒の速度との相対速度差が小さくなり、旋回流に伴われて移動する不純物（フロック）が内筒表面に接触するときの衝撃力が緩和されて不純物（フロック）が壊れ難くなる。これにより不純物（フロック）が処理水に再混入して流出することが抑えられ、不純物の分離回収率が向上する。
【００１１】
（２）（１）の発明において、内筒を液体サイクロンに回転可能に支持する軸受を有することが好ましい。内筒が軽量であれば、液体サイクロンの内壁との間のすべり摩擦に抗して旋回流から受ける力で内筒が回転できるが、軸受により内筒と液体サイクロン内壁との間のすべり摩擦を転がり摩擦に転換することで、円筒をさらに円滑に回転させることができる。
【００１２】
（３）（１）または（２）のいずれか１の発明において、内筒が旋回流を受けて回転力とする羽根を有することが好ましい（図３、図４）。内筒に羽根を付けることで、内筒が旋回流のエネルギを受けやすくなり、円筒をさらに速い速度で回転させることができる。
【００１３】
（４）（１）乃至（３）のいずれか１の発明において、障害物を液体サイクロンに回転可能に支持する軸受を有することが好ましい（図７）。旋回流が液体サイクロンの下部流路を経て不純物回収部へ移行する際に障害物に衝突するが、その旋回流に伴って障害物が回転し、旋回流の速度と障害物の速度との相対速度差が小さくなり、旋回流に伴われて移動する不純物（フロック）が障害物の表面に接触するときの衝撃力が緩和されて不純物（フロック）が壊れ難くなる。これにより不純物（フロック）が処理水に再混入して流出することが抑えられ、不純物の分離回収率が向上する。
【００１４】
（５）（１）乃至（４）のいずれか１の発明において、障害物が旋回流を受けて回転力とする羽根を有することが好ましい（図９、図１０）。障害物に羽根を付けることで、障害物が旋回流のエネルギを受けやすくなり、障害物をさらに速い速度で回転させることができる。
【００１５】
（６）（１）乃至（５）のいずれか１の発明において、液体サイクロンの外側から内筒に旋回流と同じ向きの回転力を付与する回転外力付与手段をさらに有することが好ましい。回転外力付与手段により内筒に旋回流と同じ向きの回転力（外力）を付与すると、円筒をさらに速い速度で回転させることができる。回転外力付与手段として例えば永久磁石や電磁石を用いることができる（図５、図６）。
【００１６】
（７）（１）乃至（６）のいずれか１の発明において、液体サイクロンの外側から障害物に旋回流と同じ向きの回転力を付与する回転外力付与手段をさらに有することが好ましい。回転外力付与手段により障害物に旋回流と同じ向きの回転力（外力）を付与すると、障害物をさらに速い速度で回転させることができる。回転外力付与手段として例えば永久磁石や電磁石を用いることができる（図１１）。
【発明の効果】
【００１７】
本発明によれば、旋回流が液体サイクロンの下部流路を通過する際に、その旋回流に伴って内筒が回転し、旋回流の速度と内筒の速度との相対速度差が小さくなり、旋回流に伴われて移動する不純物が内筒表面に接触するときの衝撃力が緩和されて不純物が壊れ難くなるため、不純物が処理水に再混入して流出することが抑えられ、不純物の分離回収率が向上する。
【図面の簡単な説明】
【００１８】
【図１】本発明の第１の実施形態に係る固液分離装置を示す内部透視断面図。
【図２】図１の矢視Ａ-Ａから見た障害物を示す平面図。
【図３】本発明の第２の実施形態に係る固液分離装置の要部を示す内部透視断面図。
【図４】図３の矢視Ｂ-Ｂから見た内筒の下部に取り付けた羽根を示す平面図。
【図５】本発明の第３の実施形態に係る固液分離装置を示す縦断面ブロック図。
【図６】本発明の第４の実施形態に係る固液分離装置を示す横断面ブロック図。
【図７】本発明の第５の実施形態に係る固液分離装置の要部を示す内部透視断面図。
【図８】（ａ）は図７の矢視Ｅ-Ｅから見た障害物を示す平面図、（ｂ）は図７の障害物を拡大して示す斜視図。
【図９】本発明の第６の実施形態に係る固液分離装置の要部を示す内部透視断面図。
【図１０】図９の矢視Ｆ-Ｆから見た障害物の下部に取り付けた羽根を示す平面図。
【図１１】本発明の第７の実施形態に係る固液分離装置の要部を示す縦断面ブロック図。
【発明を実施するための形態】
【００１９】
以下、添付の図面を参照して本発明を実施する最良の形態について説明する。
【００２０】
（第１の実施形態）
図１と図２を参照して本発明の第１の実施形態を説明する。
【００２１】
本実施形態の固液分離装置１Ａは、粒子を含む原水が導入され、比重差を利用する遠心分離作用により原水から不純物粒子（砂粒、金属粉、フロックなど）を分離して不純物の少ない処理水を生成するための水処理装置である。不純物のうち金属粉と砂粒は、比重が２〜１０程度であり、直径が数ｍｍから数μｍ程度である。フロックは、比重が１より僅かに大きく、直径が数ｍｍから数１０μｍ程度である。
【００２２】
図１に示すように、第１の実施形態に係る固液分離装置１Ａは、液体サイクロン１１と、液体サイクロン１１に原水を流入させる流入管１０と、障害物１６と、不純物回収部１８と、処理水を液体サイクロン１１から流出させる流出管２０と、内筒３０Ａと、を備えている。
【００２３】
液体サイクロン１１は、上部から順に円筒部１２、円錐部１３およびロート部１４からなり、上方から下方へ移行するに従って縮径する縦長の筺体として形成されている。円筒部１２は、液体サイクロン１１のなかで最も内径が大きく、側周部に流入管１０が連通し、上部開口に図示しない蓋が被せられている。流入管１０は、円筒部１２の内周面に接する接線に沿って外方に延び出している。円錐部１３は、上部の内径が大きく、下方に移行するに従って内径が漸次小さくなっており、円筒部１２の下部に連続している。ロート部１４は、円錐形状の上半部と円筒形状の下半部とを組み合せて全体が漏斗形状と成るように形成され、円錐部１３の下部に連続している。
【００２４】
障害物１６は、不純物回収部１８とロート部１４との間の適所の流路に取り付けられ、回収した不純物が不純物回収部１８から液体サイクロン１１のほうへ戻るのを阻止する役割を有するものである。不純物回収部１８とロート部１４との間の流路であれば、障害物１６をどの位置に取り付けてもよい。本実施形態の装置１Ａでは、図１と図２に示すように、障害物１６は、かご状のロッドからなる保持部１７により保持された状態で不純物回収部１８の入口（ロート部１４の出口）近傍に配置されている。障害物１６として円錐、円盤、円柱、三角錐、四角錐、矩形板など種々の形状のものを用いることができる。なお、障害物１６の厚みは、限定しないが、薄過ぎる場合には、原水に与えられる圧力で破損しやすいため、原水に与えられる圧力や保持部１７の保持力等に応じて定めるのが好ましい。
【００２５】
不純物回収部１８は、液体サイクロン下部のロート部１４に図示しないフランジ継手により接続され、沈降した不純物を液体サイクロン１１から回収するものである。不純物回収部１８の底部には排出ライン２１が接続され、排出バルブ２２を開けて回収不純物を不純物回収部１８から図示しない再利用処理装置に排出するようになっている。
【００２６】
内筒３０Ａは、複数の軸受３１を介して液体サイクロン１１に軸まわりに回転可能に支持され、ロート部１４および円錐部１３の一部を覆うように、少なくともロート部１４を覆うように配置されている。内筒３０Ａは、形状が液体サイクロン１１の下部の形状にほぼ相似形であり、厚みは一様である。内筒３０Ａの材質は、耐食性と耐摩耗性に優れていれば、樹脂、合成ゴムまたは金属材料のいずれであってもよい。樹脂を内筒に用いる場合は、フッ素系樹脂、ポリアミド系樹脂、ポリブチレン系樹脂などを用いることができる。また、合成ゴムを内筒に用いる場合は、ニトリルブタジエン系ゴム、スチレンブタジエン系ゴム、ウレタン系ゴムなどを用いることができる。また、金属材料を内筒に用いる場合は、低合金鋼やステンレス鋼などの耐食性と耐摩耗性を兼ね備えた各種の金属材料を用いることができる。
【００２７】
本実施形態の作用を説明する。
【００２８】
原水は、所定のポンプ圧力を付与された状態で流入管１０から液体サイクロンの円筒部１２内に流入し、円筒部１２の内周壁に沿って流れの向きを変えられて旋回流となり、円錐部１３の内周壁および内筒３０Ａの内周壁に沿って渦巻きながら下降する間に水より比重の大きいフロックなどの不純物が渦の中心に集まり、さらにロート部１４において内筒３０Ａを回転させながら絞り込まれた狭い流路に吸い込まれ、内筒３０Ａと障害物１６との間隙を通って不純物回収部１８に流入する。これにより不純物（フロック等）が回収される。回収した不純物は、不純物回収部１８から図示しない汚泥脱水機などに排出される。一方、不純物が分離された後の処理水は、上方の流出管２０を通って次工程に送られる。
【００２９】
不純物回収部１８には、回収対象である不純物とともに、原水の一部も供給される。このとき、従来の装置では不純物回収部１８に回収された不純物（フロック）は、原水の動きによって旋回しながら、壁面や障害物１６にぶつかりながら不純物回収部18に回収される。このとき、壁面や障害物とフロックがぶつかる際に、流れと壁面・障害物との相対速度差が大きく、フロックが壊れる問題がある。しかし、本実施形態の装置１Ａでは、図１に示すように、液体サイクロン１１の下部において内筒３０Ａが回転するので、旋回流の速度と内筒３０Ａの速度との相対速度差が小さくなり、旋回流に伴われて移動するフロックが内筒３０Ａの表面に接触するときの衝撃力が緩和されてフロックが壊れ難くなる。
【００３０】
本実施形態の装置によれば、軸受により内筒と液体サイクロン内壁との間のすべり摩擦を転がり摩擦に転換することで、円筒を円滑に回転させることができ、低強度のフロックが壊されにくくなり、フロックが処理水に再混入して流出することが回避され、フロックの分離回収率が向上する。
【００３１】
（第２の実施形態）
図３と図４を参照して本発明の第２の実施形態を説明する。なお、本実施形態が上記の実施形態と共通する部分の説明は省略する。
【００３２】
本実施形態の固液分離装置１Ｂでは、図３に示すように、内筒３０Ｂの下端部に羽根３２を取り付けている。図４に示すように、４枚の羽根３２が内筒３０Ｂに９０°等ピッチ間隔に配置されている。
【００３３】
本実施形態の装置によれば、内筒に羽根を取り付けることで、内筒が旋回流のエネルギを受けやすくなり、内筒をさらに速い速度で回転させることができ、旋回流の速度と内筒の速度との相対速度差がさらに縮小され、旋回流に伴われて移動するフロックが内筒表面に接触するときの衝撃力が緩和され、フロックが壊れ難くなる。このためフロックの流出が抑えられ、フロック回収率が向上する。
【００３４】
（第３の実施形態）
図５を参照して本発明の第３の実施形態を説明する。なお、本実施形態が上記の実施形態と共通する部分の説明は省略する。
【００３５】
本実施形態の固液分離装置１Ｃでは、内筒３０Ｃの上部に１対の永久磁石３３ａ，３３ｂを対向する位置に取り付け、図示しない移動機構を備えた制御部３５により動作が制御される他の１対の永久磁石３４ａ，３４ｂを液体サイクロン１１の外側において対向する位置に移動可能に設けている。外側の永久磁石３４ａ，３４ｂは、制御部３５の移動機構により液体サイクロンのまわりを周回移動されるようになっている。これら２組の永久磁石（３３ａ，３３ｂ），（３４ａ，３４ｂ）は、液体サイクロンの壁材を間に挟んで同じ高さレベルに配置されている。
【００３６】
本実施形態の装置の作用を説明する。
【００３７】
制御部３５の移動機構により外側１対の永久磁石３４ａ，３４ｂを液体サイクロンのまわりに水の旋回流と同じ向きに周回移動させると、これらの磁力の変化に応じて内側１対の永久磁石３３ａ，３３ｂに電磁力が誘起される。電磁力が永久磁石３３ａ，３３ｂに誘起されることにより、内筒３０Ｃに水の旋回流と同じ向きの回転力が付与される。
【００３８】
本実施形態の装置によれば、回転外力付与手段としての２組の永久磁石と移動機構を備えた制御部とにより内筒に旋回流と同じ向きの回転力（外力）を付与し、円筒をさらに速い速度、旋回流に近い速度で回転させることができる。このためフロックの崩壊が抑えられ、さらにフロック回収率が向上する。
【００３９】
（第４の実施形態）
図６を参照して本発明の第４の実施形態を説明する。なお、本実施形態が上記の実施形態と共通する部分の説明は省略する。
【００４０】
本実施形態の固液分離装置１Ｄでは、内筒３０Ｄの上部に２対（合計４個）の永久磁石（３６ａ，３６ｂ），（３６ａ，３６ｂ）を対向する位置に取り付け、制御部３８により動作が制御される他の２対（合計４個）の電磁石（３７ａ，３７ｂ），（３７ａ，３７ｂ）を液体サイクロン１１の外側において対向する位置に設けている。外側の電磁石（３７ａ，３７ｂ），（３７ａ，３７ｂ）は、制御部３８により所定の周期で磁極を入れ替えるようになっている。これらの永久磁石（３６ａ，３６ｂ），（３６ａ，３６ｂ）および電磁石（３７ａ，３７ｂ），（３７ａ，３７ｂ）は、液体サイクロンの壁材を間に挟んで同じ高さレベルに配置されている。
【００４１】
本実施形態の装置の作用を説明する。
【００４２】
制御部３８により外側の電磁石（３７ａ，３７ｂ），（３７ａ，３７ｂ）の磁極を所定の周期で入れ替えると、これらの磁力の変化に応じて内側の永久磁石（３６ａ，３６ｂ），（３６ａ，３６ｂ）に電磁力が誘起される。電磁力が永久磁石（３６ａ，３６ｂ），（３６ａ，３６ｂ）に誘起されることにより、内筒３０Ｄに水の旋回流と同じ向きの回転力が付与される。
【００４３】
本実施形態の装置によれば、回転外力付与手段としての２対の永久磁石と２対の電磁石と制御部とにより内筒に旋回流と同じ向きの回転力（外力）を付与し、円筒をさらに速い速度、旋回流に近い速度で回転させることができる。このためフロックの崩壊が抑えられ、さらにフロック回収率が向上する。
【００４４】
（第５の実施形態）
図７と図８を参照して本発明の第５の実施形態を説明する。なお、本実施形態が上記の実施形態と共通する部分の説明は省略する。
【００４５】
本実施形態の固液分離装置１Ｅでは、障害物１６Ｅを支持する保持部１７Ｅに軸受４１を取り付け、障害物１６Ｅを軸まわりに回転できるようにしている。また、障害物１６Ｅは、図８の（ａ）と（ｂ）に示すように、旋回流の向きと同じ向きのらせん状の溝１６ｇが表面に形成されている。このような形状の溝１６ｇにより旋回流のエネルギを障害物１６Ｅが受けやすくなり、障害物１６Ｅが円滑に回転するようになっている。
【００４６】
本実施形態の装置によれば、旋回流が液体サイクロン下部を通過する際に、旋回流は内筒を回転させるとともに障害物も回転させるので、旋回流の速度と内筒の速度との相対速度差が小さくなるばかりでなく、さらに旋回流の速度と障害物の速度との相対速度差が小さくなり、旋回流に伴われて移動するフロックが内筒の表面に接触するときの衝撃力が緩和されてフロックが壊れ難くなる。このように本実施形態では、低強度のフロックがさらに壊されにくくなり、フロックが処理水に再混入して流出することが回避され、フロックの分離回収率が向上する。
【００４７】
（第６の実施形態）
図９と図１０を参照して本発明の第６の実施形態を説明する。なお、本実施形態が上記の実施形態と共通する部分の説明は省略する。
【００４８】
本実施形態の固液分離装置１Ｆでは、図９に示すように、障害物１６Ｆの回転軸１６ａの下端に羽根４３を取り付けている。図１０に示すように、４枚の羽根４３が障害物１６Ｆに９０°等ピッチ間隔に配置されている。なお、符号４２は障害物１６Ｆの回転軸１６ａを回転可能に支持する軸受である。
【００４９】
本実施形態の装置によれば、障害物に羽根を取り付けることで、障害物が旋回流のエネルギを受けやすくなり、障害物をさらに速い速度で回転させることができ、旋回流の速度と障害物の速度との相対速度差がさらに縮小され、旋回流に伴われて移動するフロックが障害物表面に接触するときの衝撃力が緩和され、フロックが壊れ難くなる。このためフロックの流出が抑えられ、さらにフロック回収率が向上する。
【００５０】
（第７の実施形態）
図１１を参照して本発明の第７の実施形態を説明する。なお、本実施形態が上記の実施形態と共通する部分の説明は省略する。
【００５１】
本実施形態の固液分離装置１Ｇでは、図１１に示すように、障害物１６Ｇに２対（合計４個）の永久磁石（４４ａ，４４ｂ），（４４ａ，４４ｂ）を対向する位置に取り付け、制御部４６により動作が制御される他の２対（合計４個）の電磁石（４５ａ，４５ｂ），（４５ａ，４５ｂ）を液体サイクロン１１の外側において対向する位置に設けている。外側の電磁石（４５ａ，４５ｂ），（４５ａ，４５ｂ）は、制御部４６により所定の周期で磁極を入れ替えるようになっている。これらの永久磁石（４４ａ，４４ｂ），（４４ａ，４４ｂ）および電磁石（４５ａ，４５ｂ），（４５ａ，４５ｂ）は、液体サイクロンの壁材を間に挟んで同じ高さレベルに配置されている。
【００５２】
本実施形態の装置の作用を説明する。
【００５３】
制御部４６により外側の電磁石（４５ａ，４５ｂ），（４５ａ，４５ｂ）の磁極を所定の周期で入れ替えると、これらの磁力の変化に応じて内側の永久磁石（４４ａ，４４ｂ），（４４ａ，４４ｂ）に電磁力が誘起される。電磁力が永久磁石（４５ａ，４５ｂ），（４５ａ，４５ｂ）に誘起されることにより、障害物１６Ｇに水の旋回流と同じ向きの回転力が付与される。
【００５４】
本実施形態の装置によれば、回転外力付与手段としての２対の永久磁石と２対の電磁石と制御部とにより障害物に旋回流と同じ向きの回転力（外力）を付与し、障害物をさらに速い速度で回転させることができる。このためフロックの流出が抑えられ、さらにフロック回収率が向上する。
【符号の説明】
【００５５】
１Ａ〜１Ｇ…固液分離装置、１０…流入管、
１１…液体サイクロン、１２…円筒部、１３…円錐部、１４…ロート部、
１６，１６Ｅ，１６Ｆ，１６Ｇ…障害物、１６ａ…回転軸、１６ｇ…溝、
１７，１７Ｅ，１７Ｆ，１７Ｇ…保持部、
１８…不純物回収部、
２０…流出管、２１…排出ライン、２２…バルブ、
３０Ａ，３０Ｂ，３０Ｃ，３０Ｄ…内筒、３１…軸受、３２…羽根、３３ａ，３３ｂ，３４ｂ，３４ｂ…永久磁石、３５…制御部、３６ａ，３６ｂ…永久磁石、３７ｂ，３７ｂ…電磁石、３８…制御部、
４１，４２…軸受、４３…羽根、４４ａ，４４ｂ…永久磁石、４５ａ，４５ｂ…電磁石、４６…制御部。
【図１】
2011083696.tif 000003
【図２】
2011083696.tif 000004
【図３】
2011083696.tif 000005
【図４】
2011083696.tif 000006
【図５】
2011083696.tif 000007
【図６】
2011083696.tif 000008
【図７】
2011083696.tif 000009
【図８】
2011083696.tif 000010
【図９】
2011083696.tif 000011
【図１０】
2011083696.tif 000012
【図１１】
2011083696.tif 000013